(57)【特許請求の範囲】
【請求項１】
紫外線（Ｌ１）を出力するブラックライト（１２）とそれを覆うセード（１３）とを含む光源部（１０）を備え、前記光源部（１０）を水平な作業面（９９）上に支える板製スタンド（２０）を備え、前記光源部（１０）から投射される紫外線（Ｌ１）で作業面（９９）上の対象紙面（９０）を照射し、該対象紙面（９０）に蛍光塗料にて表記された蛍光表示情報（９２）を発光させる紫外線スタンドであって、
前記対象紙面（９０）を目視観察するためのフィルタであって前記対象紙面への前記紫外線の照射により前記蛍光表示情報から出る光を透過し前記蛍光表示情報以外の区域から出る光の透過を制限する特性を有する、前記蛍光表示情報（９２）のコントラストを強めるための明視フィルタ（３０）を備え、前記明視フィルタ（３０）を前記光源部（１０）に該光源部（１０）から迫り出すようにかつ回動可能なように蝶着し、前記板製スタンド（２０）は、板面が前記作業面（９９）に接して並置される一対の足板部（２２）と、前記各足板部（２２）の縁から直角に折れ曲がって垂直に立上がりかつ板面が互いに対面する一対の脚板部（２４）と、前記各脚板部（２４）の縁から直角に折れ曲がって前記各脚板部（２４）を一体のものとする連結板部（２６）とを備え、前記各脚板部（２４）の頂部を前記光源部（１０）に回動可能なように蝶着したことを特徴とする紫外線スタンド。
【発明の詳細な説明】
【０００１】
【発明の属する技術分野】
本発明は作業面に配置された紙面に蛍光塗料によって表記された蛍光表示情報を判読するための紫外線スタンドに関する。
【０００２】
【従来の技術】
紙面に蛍光塗料にて文字・文様・記号等の適宜の情報を表記することがある。蛍光塗料が透明である場合は通常はそれは見えない。蛍光塗料が不透明であっても紙面と近似同色の場合は判読が困難である。紙面に紫外線を投射すると、蛍光表示情報の蛍光体が励起し発光するので、判読は容易になる。
蛍光表示情報の発光色が紙面と近似同色である場合は判読が困難である。また紙面が蛍光性漂白面である場合は紫外線を受けてそこも発光するので、輝度対比が小さくなり、判読は困難である。
紫外線スタンドは作業面上に載置するスタンドを必要とする。スタンドが作業面を広く占有するのであれば、対象紙面を配置しあるいは次のものと取り替える作業の障害となる。
【発明が解決しようとする課題】
本発明の目的は、蛍光塗料にて蛍光表示情報が表記された対象紙面に紫外線を投射し、またそれによって光る蛍光表示情報を判読するのに好適な簡便安価な紫外線スタンドを提供することである。
【０００３】
【課題を解決するための手段】
本発明においては、紫外線を出力するブラックライトとそれを覆うセードとを含む光源部を備える。前記光源部を水平な作業面上に支える板製スタンドを備える。
それは前記光源部から投射される紫外線で作業面上の対象紙面を照射し、該対象紙面に蛍光塗料にて表記された蛍光表示情報を発光させる紫外線スタンドである。
さらに、前記対象紙面を目視観察するためのフィルタであって前記蛍光表示情報のコントラストを強めるための明視フィルタを備える。前記明視フィルタを前記光源部に該光源部から迫り出すようにかつ回動可能なように蝶着する。
前記板製スタンドは、板面が前記作業面に接して並置される一対の足板部と、前記各足板部の縁から直角に折れ曲がって垂直に立上がりかつ板面が互いに対面する一対の脚板部と、前記各脚板部の縁から直角に折れ曲がって前記各脚板部を一体のものとする連結板部とを備える。前記各脚板部の頂部を前記光源部に回動可能なように蝶着する。
【０００４】
【発明の実施の形態】
図１〜図６を用いて本発明の実施形態について説明する。本発明は明視フィルタ付の紫外線スタンドである。また、板製スタンドが付属する紫外線スタンドである。
紫外線スタンドは、紫外線Ｌ１を出力するブラックライト１２とそれを覆うセード１３とを含む光源部１０を備える。光源部１０を作業面９９上に支える板製スタンド２０を備える。
この紫外線スタンドは光源部１０から投射される紫外線Ｌ１で、作業面９９に配置した対象紙面９０を照射し、該対象紙面９０に蛍光塗料にて表記された蛍光表示情報９２を発光させる。
対象紙面９０を目視観察するためのフィルタであって蛍光表示情報９２のコントラストを強めるための明視フィルタ３０を備える。この明視フィルタ３０を光源部１０に該光源部１０から迫り出すように配置する。
明視フィルタ３０を光源部１０に回動可能なように蝶着する。図１・図６の明視フィルタ３０は光源部１０より迫り出す位置にある。明視フィルタ３０は光源部１０に沿って閉合する位置まで回動可能であり、閉合状態保管しあるいは梱包する。
板製スタンド２０は、板面が作業面９９に接して並置される一対の足板部２２を備える。各足板部２２の縁から直角に折れ曲がって垂直に立上がりかつ板面が互いに対面する一対の脚板部２４を備える。各脚板部２４の縁から直角に折れ曲がって各脚板部２４を一体のものとする連結板部２６を備える。各脚板部２６の頂部を光源部１０に回動可能なように蝶着する。
板製スタンド２０は光源部１０に対して回動可能である。図１・図６の板製スタンド２０は光源部１０より延在する位置にある。板製スタンド２０は光源部１０に沿って閉合する位置まで回動可能であり、閉合状態で保管しあるいは梱包する。
光源部１０はソケット１１・ブラックライト１２・セード１３・部品ケース１４・回路部品１５・反射板１６を含む。ソケット１１はブラックライト１２を着脱自在に装着する。ブラックライト１２は直管形放電灯であり、紫外線Ｌ１を出力する。セード１３はブラックライト１２を上側から覆う半円逆樋状のものである。部品ケース１４にはブラックライト１２を点灯するための回路部品１５を収納する。１７は部品ケース１４から排出する電源コードである。回路部品１５によって形成される点灯回路はブラックライト１２を４５ｋ  の点灯周波数で点灯させるインバータ形放電灯点灯回路である。それは高周波点灯回路であり、蛍光表示情報９２の紫外線Ｌ１投射にともなう発光にちらつき感を与えない。セード１３・部品ケース１４は共に合成樹脂製であり、まとめて一体に形成される。１６はセード１３内面に貼着されたアルミニウム製の薄板状の反射板である。反射板１６は下向き指向の配光特性を強める。
明視フィルタ３０は合成樹脂製の薄板であり、対象紙面９０の蛍光表示情報９２から出る光（蛍光）Ｌ２を透過する。明視フィルタ３０を透過した光Ｌ２は人の目に届き、それにより蛍光表示情報９２を目視判読を可能とする。明視フィルタ３０は対象紙面９０（ただし、蛍光表示情報９２以外の区域）から出る光Ｌ３をも透過する。光Ｌ３は反射光であり、対象紙面９０が蛍光性の漂白面である場合は蛍光を含む。相対的には明視フィルタ３０は光Ｌ２を良好に透過し、余分な光Ｌ３の透過を制限する特性のものである。蛍光表示情報９２の明視の条件は蛍光表示情報９２のその周囲に対する輝度対比を高め、あるいは色調対比を高めることである。かくして、そのコントラストを高め、明視を可能とする。
透明な蛍光塗料は既知であり、それによって描かれた蛍光表示情報９２は奨起発光してオレンジ色に光って見える。対象紙面９０におけるその余の蛍光性漂白面は青く光って見える。この場合にはオレンジ色の明視フィルタ３０を選択する。それを通して対象紙面９０を目視する。蛍光表示情報９２から出るオレンジ色の光（オレンジ色に見せる光）Ｌ２は明視フィルタ３０を透過し、オレンジ色の色調を強める。また、周囲の蛍光性漂白面から出る青色の光（青色に見せる光）Ｌ３の透過を制限する。明視フィルタ３０を介して対象紙面９０を観察すると、蛍光表示情報９２はオレンジ色に濃く光って見え、その周囲は補色の関係で黒ずんで見える。かくして、蛍光表示情報９２の明視が可能となる。
明視フィルタ３０の蝶着構造は次のようなものである。明視フィルタ３０はその一辺に沿って配置された支軸部３２を持ち、かつ支軸部３２両端に固着された多角形の摩擦車３６を持つ。セード１３内面側に装着された軸受部１３２は摩擦車３６を弾発的に挟持するホルダ機能を有する。弾発挟持による摩擦力に抗して、明視フィルタ３０を支軸部３２回りに回動させ、所要の位相で手を離すと、そこで安定する。明視フィルタ３０は摩擦車３６の多角形形状に応じた飛び飛びの安定姿勢を持つ。
板製スタンド２０の蝶着構造は次のようなものである。各脚板部２４の頂部は回転軸２４２を介してセード１３と回転自在に連結される。脚板部２４における回転軸２４２回りの位置にピン２４３が配置される。ピン２４３はスプリングケース２４４に納められたスプリング２４５を介して常に突出し方向に付勢される。部品ケース１４における回転軸２４２回りの位置に複数の受孔１４２が形成される。ピン２４３の先は各受孔１４２に選択的に係合し、回転軸２４２回りのセード１３の勝手な回動を規制する。ピン２４３片側のつまみ２４６をスプリング２４５に抗して引くと、ピン２４３は受孔１４２から抜け、セード１３の回動が可能となる。
光源部１０の高さの調整は各脚板部２４の背丈を変えて行う。各脚板部２４における連結板部２６より高所の位置あるいは低所の位置で下側脚板部２４Ｌと上側脚板部２４Ｈの二つに分離し、その両者の高さを適宜に変えて連結ねじ２４８を介して着脱自在に連結する構造とすれば、光源部１０の高調整が可能となる。２４９は下側脚板部２４Ｌ・上側脚板部２４Ｈに形成された、連結ねじ２４８のためのねじ孔ないしは受孔である。
紫外線スタンドの使用要領は図１の通りである。ブラックライト１２を点灯させると、光源部１０から紫外線Ｌ１が出る。それを作業面９９上の適宜の箇所に配置した対象紙面９０で受ける。明視フィルタ３０を適宜の傾きに保持し、明視フィルタ３０を介して対象紙面９０を目視する。対象紙面９０に蛍光塗料で表記された蛍光表示情報９２は紫外線Ｌ１を受けて発光する。その光Ｌ２は明視フィルタ３０を介して人１００の目に届く。対象紙面９０の蛍光表示情報９２周囲から出る光Ｌ３も明視フィルタ３０を介して目に届くが、明視フィルタ３０に光Ｌ２を相対的に強め、余分な光Ｌ３を相対的に弱める作用があるために、蛍光表示情報９２の明視が可能となり、それを容易に判読することができる。
光源部１０から出る紫外線Ｌ１を対象紙面９０に近似垂直（紙面９０に対してほぼ垂直）に投射すると、蛍光表示情報９２から近似垂直（紙面に対してほぼ垂直）に出る光Ｌ２は光源部１０近傍を通過する。そこに光Ｌ２の最大光度を形成する。光源部１０から迫り出すように配置された明視フィルタ３０はその強い光Ｌ２を透過し、あるいは強調して蛍光表示情報９２の明視を可能とする。
不使用時には光源部１０から迫り出す配置の明視フィルタ３０は邪魔になる。板製スタンド２０も邪魔になる。その場合は明視フィルタ３０ないしは板製スタンド２０を光源部１０に沿って、図６のごとく閉合する姿勢に回動させ、コンパクトにまとめて保管し、あるいは梱包する。
板製スタンド２０の足板部２２作業面９９に接するが、これは足を広げて接面しその間を開放する状態であり、足板部２２上面は板厚を無視すると作業面９９と同高であり、かつ連結板部２６を適宜の高さに保つことができるので、対象紙面９０の回りが広く、その配置・交換作業が容易である。板製スタンド２０は所要の金属板を所要の形状に曲げて作る簡単なものであるが、各脚板部２４は各足板部２２の縁から直角に折れ曲がって垂直に立上がりかつ板面が互いに対面する形態であり、しかもその中高の箇所を連結板部２６で一体に繋ぐため、光源部１０を堅固に支えることができる。
【０００６】
【発明の効果】
本発明においては所要の明視フィルタを所要の光源部から迫り出すように配置したものである。これによれば、蛍光塗料で表記された蛍光表示情報を簡単かつ容易に判読することが可能となる。
また、所要の板製スタンドを用いたので、安価であり、しかも対象紙面を作業面に配置しあるいは交換する作業が容易になる。
【図面の簡単な説明】
【図１】  本発明に係る紫外線スタンドの斜視図である。
【図２】  その光源部の分解斜視図である。
【図３】  その明視フィルターの蝶着構造を示す部分拡大断面図図である。
【図４】  その光源部蝶着構造部を示す部分拡大側面図図である。
【図５】  その光源部蝶着構造部を示す部分拡大断面図である。
【図６】  同紫外線スタンドの使用状態を示す斜視図である。
【符号の説明】
１０：光源部
１２：ブラックライト
１３：セード
１３２：軸受部
１４：部品ケース
１４２：受孔
１６：反射板
１９：係合部
２０：板製スタンド
２２：足板部
２４：脚板部
２４Ｌ：下側脚板部
２４Ｈ：上側脚板部
２４２：回転軸
２４３：ピン
２４４：スプリングケース
２４５：スプリング
２４６：つまみ
２４８：連結ねじ
２４９：孔
２６：連結板部
３０：明視フィルタ
３２：支軸部
３６：摩擦車
９０：対象紙面
９２：蛍光表示情報
９９：作業面
Ｌ１：紫外線
Ｌ２：光
【図１】
0003959806.tif 000002
【図２】
0003959806.tif 000003
【図３】
0003959806.tif 000004
【図４】
0003959806.tif 000005
【図５】
0003959806.tif 000006
【図６】
0003959806.tif 000007